(57)【特許請求の範囲】
【請求項１】
建物の基礎となるコンクリート製基礎杭の施工方法であって 、
構築しようとする建物投影面の地盤を事前のボーリングによって確認した深さの支持層まで、立設するコンクリート製基礎杭よりも大径の縦孔を掘削する第１工程と、
掘削し終えた縦孔に根固め液と周辺固定液とを注入する第２工程と、
第１工程で掘削した縦孔の掘削位置の支持層の深さが事前に確認した支持層の深さより深かった場合、
ａ．事前に確認した支持層の深さに基づいて製造した既製コンクリート杭に接続する長さ調整用単位杭を選択し、該選択した長さ調整用単位杭の上部に胴体部保持バンド１４を装着し、
ｂ．地面に鉛直性を保って立設したコンクリート製基礎杭を挿入・支持する所定長さのケーシング管に、前記長さ調整用単位杭が前記ケーシング管の長さより短い場合には、前記長さ調整用単位杭上端部が前記ケーシング管の 上部より突出するよう、前記ケーシング管内に高さ調整用管を挿入し、
ｃ．前記胴体部保持バンドを装着した長さ調整用単位杭を、ケーシング管の底面もしくは高さ調整用管の上部に当接するまで挿入し、水準器等の計測機器を用いて鉛直度を計測しつつ、前記ケーシング管の上部に設けられた鉛直性調整ボルトで必要な鉛直度が得られるよう調整して保持し、
ｄ．次いで下部に長さ調整用単位杭に接続するための胴体部保持バンドを装着した既製コンクリート杭を起重機等の重機を用いて吊り上げて、前記ケーシング管によって鉛直に保持された長さ調整用単位杭の上部に移動して端板同士を当接し、それぞれの胴体部保持バンドに設けられた複数のボルト挿入部に、ボルトを差し込み、当接した端板間の隙間を調整しながら前記ボルトに装着したナットを締め付け、事前に確認した支持層の深さに基づいて製造した既製コンクリート杭と長さ調整用単位杭とを鉛直に接続し、支持層に達する長さのコンクリート製基礎杭を製造する第３工程と、
前記第２工程で根固め液と周辺固定液とが注入された縦孔に、第３工程で製造したコンクリート製基礎杭を挿入して支持層に立設固定する第４工程と
からなることを特徴とするコンクリート製基礎杭の施工方法。
【請求項２】
建物の基礎となるコンクリート製基礎杭の施工方法であって 、
構築しようとする建物投影面の地盤を事前に確認した深さの支持層まで、立設するコンクリート製基礎杭よりも大径の縦孔を掘削する第１工程と、
掘削し終えた縦孔に根固め液と周辺固定液とを注入する第２工程と、
第１工程で掘削した縦孔の掘削位置の支持層の位置が事前に確認した支持層の深さより浅かった場合、
ａ．事前に確認した支持層の深さより短い既製コンクリート杭に接続する長さ調整用単位杭を選択し、該選択した長さ調整用単位杭の上部に胴体部保持バンド１４を装着し、
ｂ．地面に鉛直性を保って立設したコンクリート製基礎杭を挿入・支持する所定長さのケーシング管に、前記長さ調整用単位杭が前記ケーシング管の長さより短い場合には、前記長さ調整用単位杭上端部が前記ケーシング管の上部より突出するよう、前記ケーシング管内に高さ調整用管を挿入し、
ｃ．前記胴体部保持バンドを装着した長さ調整用単位杭を、ケーシング管の底面もしくは高さ調整用管の上部に当接するまで挿入し、水準器等の計測機器を用いて鉛直度を計測しつつ、前記ケーシング管の上部に設けられた鉛直性調整ボルトで必要な鉛直度が得られるよう調整して保持し、
d．次いで下部に長さ調整用単位杭に接続するための胴体部保持バンドを装着した既製コンクリート杭を起重機等の重機を用いて吊り上げて、前記ケーシング管によって鉛直に保持された長さ調整用単位杭の上部に移動して端板同士を当接し、それぞれの胴体部保持バンドに設けられた複数のボルト挿入部に、ボルトを差し込み、当接した端板間の隙間を調整しながら前記ボルトに装着したナットを締め付け、事前に確認した支持層の深さに基づいて製造した既製コンクリート杭と長さ調整用単位杭とを鉛直に接続し、支持層までの深さに適合するコンクリート製基礎杭を作成する第３工程と、
前記第２工程で根固め液と周辺固定液とが注入された縦孔に、第３工程で作成したコンクリート製基礎杭を挿入して支持層に立設固定する第４工程と
からなることを特徴とするコンクリート製基礎杭の施工方法。
【請求項３】
前記長さ調整用単位杭が、１ｍ、１．５ｍ、２ｍ、２．５ｍ、３ｍ又は３．５ｍからなるコンクリート製の杭であることを特徴とする請求項１または２に記載のコンクリート製基礎杭の施工方法。
【請求項４】
前記ケーシング管が、３．５ｍの長さ調整用単位杭を挿入したとき、該３．５ｍの長さ調整用単位杭の上部に取り付けられる既製コンクリート杭と接続する為に取り付けられた胴体部保持バンドが、該ケーシング管の上部に突出する長さに形成されてなり、また該ケーシング管内に挿入される高さ調整用管が、０．５ｍ、１ｍ、１．５ｍ、２ｍ又は２．５ｍの長さに形成されたものであることを特徴とする請求項１または２に記載のコンクリート製基礎杭の施工方法。
【発明の詳細な説明】
【技術分野】
【０００１】
本発明は、既製コンクリート杭を用いて実施する基礎杭の施工方法に係り、既製コンクリート杭の長さが立設する地盤の支持層の深さに対して過不足を生じた場合に長さ調整用の杭を用いて行うコンクリート製基礎杭の施工方法に関する。
【背景技術】
【０００２】
比較的軟弱な地盤上に、鉄筋や木造の建物を構築する場合、地盤上に直接建物を構築したのでは、建物の載荷荷重により直下の地盤が圧密沈下し、不同沈下などが生ずるおそれがある。そこで、従来では、地盤を所定深度まで掘削し、支持層の深さを想定しその支持層を掘削し設けた穴にコンクリート杭を打設して、該コンクリート杭を基礎として用いて軟弱地盤の改善を図っている。
このように既製コンクリート杭を建物の基礎として用いる場合、事前に敷地のボーリング調査を行い、それに基づいて適合する杭種を決定し、該杭種の既製コンクリート杭を用いて現場にて打設施工している。
【発明の概要】
【発明が解決しようとする課題】
【０００３】
しかしながら既製コンクリート杭を建物の基礎として用いる場合、施工工程の段階で事前のボーリング調査とは異なったより深い位置で支持層が確認され、事前の敷地のボーリング調査に基づいて製造した既製コンクリート杭が支持層に到達しない場合がある。
このような場合に既製コンクリート杭を支持層に到達させるために既製コンクリート杭を深く支持層に挿入すると、既製コンクリート杭の杭頭が予定高さより深く設置されてしまうことから基礎構造を再計算し、改めて支持層に到達する既製コンクリート杭を用意して施工することが必要であった。
しかし、一般的に製造され販売されている既製コンクリート杭は、長さが４〜１５ｍであり、また受注生産のため、再度既製コンクリート杭を製造して現場に届けるまでには長期間を要し、作業に遅れが出てしまうなど不経済、不効率な事態となっていた。
さらにこのような状態が、既製コンクリート杭の支持層への確実な貫入を妨げる結果となり、支持力不足をもたらすなど杭基礎の信頼性を揺るがしている。
【０００４】
また、支持層が予定深度より浅い位置で発現し、設計上予定された既製コンクリート杭の支持層への貫入長さが過剰な状態となる場合や、硬い支持層を掘削できず、既製コンクリート杭の杭頭が予定高さ以上に突出し、抗頭をカットしなければならない場合もあり、作業に遅れが出てしまい、また材料の不適合により、不経済、不効率な事態を招いている。
さらに予備のために用意したコンクリート杭では、そのまま代用できない場合もある。
このように現在製造販売されている既製コンクリート杭は杭径、杭外径で３００ｍｍφ〜１，２００ｍｍφ、杭長で４ｍ〜１５ｍであり、種類も多種多様であるため、施工現場で発生した杭長変更等で使用されなかった既製コンクリート杭は在庫となり、不経済な状態となっている。
【０００５】
そこで、本発明は上記事実を考慮して、既製コンクリート杭の施工工程の段階において異なる特定長さの長さ調整用の単位杭（以下、「長さ調整用単位杭」という）を複数種用意し、施工現場で発生した既製コンクリート杭の長さの過不足を前記長さ調整用単位杭によって補正するコンクリート製基礎杭の施工方法を提供することを目的とする。
【課題を解決するための手段】
【０００６】
本発明者らは上記課題を下記の手段により解決した。
（１）建物の基礎となるコンクリート製基礎杭の施工方法であって 、
構築しようとする建物投影面の地盤を事前のボーリングによって確認した深さの支持層まで、立設するコンクリート製基礎杭よりも大径の縦孔を掘削する第１工程と、
掘削し終えた縦孔に根固め液と周辺固定液とを注入する第２工程と、
第１工程で掘削した縦孔の掘削位置の支持層の深さが事前に確認した支持層の深さより深かった場合、事前に確認した深さに基づいて製造した既製コンクリート杭の下部に、長さ調整用単位杭を選択して接続し、支持層に達する長さのコンクリート製基礎杭を製造する第３工程と、
前記第２工程で根固め液と周辺固定液とが注入された縦孔に、第３工程で製造したコンクリート製基礎杭を挿入して支持層に立設固定する第４工程と
からなることを特徴とするコンクリート製基礎杭の施工方法。
（２）前記第３工程におけるコンクリート製基礎杭の製造が、  
ａ．事前に確認した支持層の深さに基づいて製造した既製コンクリート杭に接続する長さ調整用単位杭を選択し、該選択した長さ調整用単位杭の上部に胴体部保持バンドを装着し、
ｂ．地面に鉛直性を保って立設したコンクリート製基礎杭を挿入・支持する所定長さのケーシング管に、前記長さ調整用単位杭が前記ケーシング管の長さより短い場合には、前記長さ調整用単位杭上端部が前記ケーシング管の 上部より突出するよう、前記ケーシング管内に高さ調整用管を挿入し、
ｃ．前記胴体部保持バンドを装着した長さ調整用単位杭を、ケーシング管の底面もしくは高さ調整用管の上部に当接するまで挿入し、水準器等の計測機器を用いて鉛直度を計測しつつ、前記ケーシング管の上部に設けられた鉛直性調整ボルトで必要な鉛直度が得られるよう調整して保持し、
ｄ．次いで下部に長さ調整用単位杭に接続するための胴体部保持バンドを装着した既製コンクリート杭を起重機等の重機を用いて吊り上げて、前記ケーシング管によって鉛直に保持された長さ調整用単位杭の上部に移動して端板同士を当接し、それぞれの胴体部保持バンドに設けられた複数のボルト挿入部に、ボルトを差し込み、当接した端板間の隙間を調整しながら前記ボルトに装着したナットを締め付け、事前に確認した支持層の深さに基づいて製造した既製コンクリート杭と長さ調整用単位杭とを鉛直に接続し
てなることを特徴とする（１）に記載のコンクリート製基礎杭の施工方法。
（３）建物の基礎となるコンクリート製基礎杭の施工方法であって 、
構築しようとする建物投影面の地盤を事前に確認した深さの支持層まで、立設するコンクリート製基礎杭よりも大径の縦孔を掘削する第１工程と、
掘削し終えた縦孔に根固め液と周辺固定液とを注入する第２工程と、
第１工程で掘削した縦孔の掘削位置の支持層の位置が事前に確認した支持層の深さより浅かった場合、事前に確認した深さより短い既製コンクリート杭の下部に、長さ調整用単位杭を選択して接続し、支持層までの深さに適合するコンクリート製基礎杭を作成する第３工程と、
前記第２工程で根固め液と周辺固定液とが注入された縦孔に、第３工程で作成したコンクリート製基礎杭を挿入して支持層に立設固定する第４工程と
からなることを特徴とするコンクリート製基礎杭の施工方法。
（４）前記第３工程におけるコンクリート製基礎杭の製造が、  
ａ．事前に確認した支持層の深さより短い既製コンクリート杭に接続する長さ調整用単位杭を選択し、該選択した長さ調整用単位杭の上部に胴体部保持バンドを装着し、
ｂ．地面に鉛直性を保って立設したコンクリート製基礎杭を挿入・支持する所定長さのケーシング管に、前記長さ調整用単位杭が前記ケーシング管の長さより短い場合には、前記長さ調整用単位杭上端部が前記ケーシング管の 上部より突出するよう、前記ケーシング管内に高さ調整用管を挿入し、
ｃ．前記胴体部保持バンドを装着した長さ調整用単位杭を、ケーシング管の底面もしくは高さ調整用管の上部に当接するまで挿入し、水準器等の計測機器を用いて鉛直度を計測しつつ、前記ケーシング管の上部に設けられた鉛直性調整ボルトで必要な鉛直度が得られるよう調整して保持し、
ｄ．次いで下部に長さ調整用単位杭に接続するための胴体部保持バンドを装着した既製コンクリート杭を起重機等の重機を用いて吊り上げて、前記ケーシング管によって鉛直に保持された長さ調整用単位杭の上部に移動して端板同士を当接し、それぞれの胴体部保持バンドに設けられた複数のボルト挿入部に、ボルトを差し込み、当接した端板間の隙間を調整しながら前記ボルトに装着したナットを締め付け、事前に確認した支持層の深さに基づいて製造した既製コンクリート杭と長さ調整用単位杭とを鉛直に接続し
てなることを特徴とする（３）に記載のコンクリート製基礎杭の施工方法。
（５）前記長さ調整用単位杭が、１ｍ、１．５ｍ、２ｍ、２．５ｍ、３ｍ又は３．５ｍからなるコンクリート製の杭であることを特徴とする（１）から（４）のいずれか１に記載のコンクリート製基礎杭の施工方法。
（６）前記ケーシング管が、３．５ｍの長さ調整用単位杭を挿入したとき、該３．５ｍの長さ調整用単位杭の上部に取り付けられる既製コンクリート杭と接続する為に取り付けられた胴体部保持バンドが、該ケーシング管の上部に突出する長さに形成されてなり、また該ケーシング管内に挿入される高さ調整用管が、０．５ｍ、１ｍ、１．５ｍ、２ｍ又は２．５ｍの長さに形成されたものであることを特徴とする（２）又は（４）に記載のコンクリート製基礎杭の施工方法。
【発明の効果】
【０００７】
本発明のコンクリート製基礎杭の施工方法によれば下記の効果が発揮される。
構築しようとする建物投影面の地盤を事前のボーリングによって確認した支持層までの深さと、コンクリート製基礎杭を立設するために支持層まで掘削した縦孔の深さとが異なり、事前のボーリングによる支持層の深さに基づいて製造したコンクリート杭ではその長さに過不足が生じた場合でも、施工工程において、長さ調整用単位杭を使用することによって支持層のまでの深さに適合したコンクリート製基礎杭を形成することができるので、作業の遅れや材料の不適合によるコスト増加を防止することができる。
【図面の簡単な説明】
【０００８】
【図１】本発明のコンクリート製基礎杭の施工方法の実施例を示す図
【図２】本発明のコンクリート製基礎杭の施工現場で杭を製造する方法の説明図
【図３】本発明の実施例として長さ１ｍ、２ｍ及び３．５ｍの調整用単位杭を既製コンクリート杭に接続してコンクリート製基礎杭を製造する方法の説明図
【図４】既製コンクリート杭及び長さ調整用単位杭の端板直角度計測方法の説明図
【図５】接続装置を用いて既製コンクリート杭と長さ調整用単位杭とを接続した状態を示す拡大図
【図６】本発明の実施例における長さ調整用単位杭と事前に用意した既製コンクリート杭を水平方向で接続する方法の説明図
【図７】本発明のコンクリート製基礎杭を、事前に確認した支持層より深い支持層に使用した例を示す断面図
【図８】本発明のコンクリート製基礎杭を、事前に確認した支持層より浅い支持層に使用した例を示す断面図
【図９】節付き長さ調整用単位杭と節付き既製コンクリート杭を用いて製造したコンクリート製基礎杭を表す図
【発明を実施するための形態】
【０００９】
本発明の実施するための形態を図に基づいて説明する。
図１は本発明のコンクリート製基礎杭の施工方法の実施例を示す図である。同図において、１は地盤、２はアースオーガ（図示せず）のスパイラルスクリュウ、３は該スパイラルスクリュウの先端に取り付けるオーガヘッド、４は縦孔、５は支持層、６は根固め液、７は周辺固定液、８はコンクリート製基礎杭、９は既製コンクリート杭、１０は長さ調整用単位杭である。
ここでコンクリート製基礎杭８とは、既製コンクリート杭９や長さ調整用単位杭１０を用いて作成された実際に建築構造物を支えるために地盤の支持層に固定されるコンクリート杭である。
本実施例の態様においては、アースオーガのスパイラルスクリュウ２を用いて地盤１の支持層５まで縦孔４を掘削する第１工程が、
アースオーガのスパイラルスクリュウ２の先端にオーガヘッド３を取り付け、該スパイラルスクリュウ２を掘削する地盤１の上に鉛直に移動し[図１（ａ）参照]、
掘削液（図示せず）を注入しながらスパイラルスクリュウ２を回転させ、先端に取り付けたオーガヘッド３によりコンクリート製基礎杭８よりも大径の縦孔４を地盤１の支持層５まで掘削する[図１（ｂ）参照]。なお、この工程においてもスパイラルスクリュウ２の鉛直性を確認する。
スパイラルスクリュウ２による掘削を進め支持層５に所定の縦孔４が掘削されたことをレベル計にて確認し掘削を終了する[図１（ｃ）参照]。
このように第１工程でスパイラルスクリュウ２を使用してコンクリート製基礎杭８よりも大径の縦孔４を地盤１の支持層５まで掘削した時点で、地中の支持層５の実際の深さが確認できる。
本実施例の第２工程は、
前記掘削終了後、掘削に使用したアースオーガを引き上げながら、掘削した縦孔４にオーガヘッド３の先端より、根固め液６及び周辺固定液７を注入する［図１（ｄ）（ｅ）参照］。なお本発明の実施の形態においては、前記根固め液６及び周辺固定液７として、セメントと水の混練物からなるセメントミルクを使用している。
本実施例の第３工程は、
前記第１工程で、スパイラルスクリュウ２を使用してコンクリート製基礎杭８よりも大径の縦孔４を地盤１の支持層５まで掘削した時点で、ボーリング調査とは異なった地層が発現し、支持層５の不陸が確認され、事前のボーリング調査の結果を受けて製造した既製コンクリート杭９が短くて支持層５に到達しない場合に、
事前のボーリング調査の結果を受けて製造した既製コンクリート杭９に、後述するように長さ調整用単位杭１０を選択して前記既製コンクリート杭９の下部に接続し支持層５に到達する長さのコンクリート製基礎杭８を施工現場にて製造する工程である。
なお、第２工程と第３工程の順序を変え、事前のボーリング調査の結果を受けて用意した既製コンクリート杭９の長さでは不足することを確認した後、長さ調整用単位杭１０を選択して既製コンクリート杭９の下部に接続し支持層５に到達する長さのコンクリート製基礎杭８を施工現場にて製造する工程を第２工程とし、第１工程の掘削終了後、アースオーガを引き上げながら、掘削した縦孔４にオーガヘッド３の先端より、根固め液５及び周辺固定液６を注入する工程を第３工程としてもよい。
また、第２工程と第３工程を併行して行ってもよい。
本実施例の第４工程は、
前記第３工程（又は第２工程）で製造したコンクリート製基礎杭８を、起重機等で吊り上げ、先の工程で（ｅ）の状態となった縦孔４に挿入し［図１（ｆ）参照］、打設機等（図示せず）を用いて打設しコンクリート製基礎杭８の打設が完成する［図１（ｇ）参照］。
【００１０】
図２は本発明のコンクリート製基礎杭の施工方法における第２工程である施工現場でコンクリート製基礎杭を製造する方法の説明図であり、図３はその実施例として長さ１ｍ、２ｍ及び３．５ｍの調整用単位杭を既製コンクリート杭に接続してコンクリート製基礎杭を製造する場合を示している。
図２、図３において、１０は長さ調整用単位杭で、１０ａは１ｍの長さ調整用単位杭、１０ｂは２ｍの長さ調整用単位杭、１０ｃは３．５ｍの長さ調整用単位杭を示す。なお、本発明では、長さ調整用単位杭１０を長さ１ｍ、１．５ｍ、２ｍ、２．５ｍ、３ｍ、３．５ｍのコンクリート杭の６種としているが、同図において、１．５ｍ、２．５ｍ及び３ｍのコンクリート杭については、図を省略しているがコンクリート杭の構造は６種の長さ調整用単位杭全て同じである。
また１４、１４’は胴体部保持バンド、１５は該胴体部保持バンド１４、１４’に設けられたボルト挿入部、１７はボルト、１８はナット、１９はケーシング管、２０は鉛直性調整ボルト、２１は高さ調整用管、２１ａは長さ２．５ｍの高さ調整用管、２１ｂは長さ１．５ｍの高さ調整用管である。
なお、本発明では、高さ調整用管を、０．５ｍ、１ｍ、１．５ｍ、２ｍ又は２．５ｍの５種としているが、同図において、０．５ｍ、１ｍ及び２ｍの高さ調整用管については、図を省略しているが高さ調整用管の構造は５種全て同じである。
このように本発明では、長さ調整用単位杭１０を長さ１ｍ、１．５ｍ、２ｍ、２．５ｍ、３ｍ、３．５ｍのコンクリート杭の６種としたので、ケーシング管１９は、３．５ｍの長さ調整用単位杭１０ｃを挿入したとき、該３．５ｍの長さ調整用単位杭１０ｃの上部に装着された胴体部保持バンド１４がケーシング管１９の上部から突出するような長さを持って形成され、また該ケーシング管内に挿入される高さ調整用管２１も、０．５ｍ、１ｍ、１．５ｍ、２ｍ又は２．５ｍの５種が準備されている。
したがって、１ｍの長さ調整用単位杭１０ａを事前に用意した既製コンクリート杭９に接続してコンクリート製基礎杭８を作成する場合は、図３（ａ）に示すように、ケーシング管１９内にまず２．５ｍの高さ調整用管２１ａを挿入し、その後１ｍの長さ調整用単位杭１０ａを挿入し、鉛直性を確認した後既製コンクリート杭９と接続するという手段をとる。
また２ｍの長さ調整用単位杭１０ｂを事前に用意した既製コンクリート杭９に接続してコンクリート製基礎杭８を作成する場合は、図３（ｂ）に示すように、ケーシング管１９内にまず１．５ｍの高さ調整用管２１ｂを挿入し、その後２ｍの長さ調整用単位杭１０ａを挿入し、鉛直性を確認した後既製コンクリート杭９と接続するという手段をとる。
長さ調整用単位杭１０ｃを事前に用意した既製コンクリート杭９に接続してコンクリート製基礎杭８を作成する場合は高さ調整用管２１を使用する必要がなく、図３（ｃ）に示すように、３．５ｍの長さ調整用単位杭１０ｃをケーシング管１９の底部まで挿入し、鉛直性を確認した後既製コンクリート杭９と接続するという手段をとる。
図２、図３のいずれにおいても長さ調整用単位杭１０が、既製コンクリート杭９の下部に接続されている。これはコンクリート製基礎杭８が地中に埋設された場合、コンクリート製基礎杭８の下部は水平方向の荷重が最も少ない場所であり、この部分に長さ調整用単位杭１０と既製コンクリート杭９との継ぎ目があってもほとんど水平方向荷重の影響は受けず、継ぎ足された長さ調整用単位杭１０は鉛直方向の耐圧力を重視するだけでよいことによるものである。
また、前記鉛直性調整ボルト２０は、前記ケーシング管１９内に納めた長さ調整用単位杭１０の鉛直性を保持するもので、少なくともケーシング管１９の開口部近傍に４個以上設けられている。
【００１１】
そして図４は既製コンクリート杭及び長さ調整用単位杭の端板直角度計測方法の説明図、図５は接続装置を用いて既製コンクリート杭と長さ調整用単位杭とを接続した状態を示す拡大図、図６は本発明の実施例における長さ調整用単位杭と事前に用意した既製コンクリート杭を水平方向で接続する方法の説明図である。
図４〜図６において、２３は直角定規、２４は既製コンクリート杭の端板、２４’は長さ調整用単位杭１０の端板、ａ１は隙間ゲージ等を用いて測定した直角定規２３と既製コンクリート杭９の端板２４との隙間、ａ２は前記直角定規２３と長さ調整用単位杭１０の端板２４’との隙間、ｂは前記隙間ａ１の既製コンクリート製杭９と隙間ａ２を有する長さ調整用単位杭１０とを接合したときに生じる隙間ａ１と隙間ａ２との合成隙間を示している。
図４、図５に示す事前の既製コンクリート杭９及び長さ調整用単位杭１０の端板２４、２４’の直角度の計測は、既製コンクリート杭９と長さ調整用単位杭１０とを接続する際、両端板２４、２４’の直角度が相殺される向きに前記既製コンクリート杭９と長さ調整用単位杭１０とを当接すれば前記合成隙間ｂが極力小さくなり、また後述する接続装置によって鉛直性の調整にも役立つことから、この測定は既設コンクリート杭９及び長さ調整用単位杭１０の外周周に沿って４箇所以上等間隔で実施しておくことが望ましい。
【００１２】
現場においてスパイラルスクリュウ２を使用してコンクリート製基礎杭８よりも大径の縦孔４を地盤１の支持層５まで掘削した時点で、事前のボーリング調査の結果を受けて事前に用意した既製コンクリート杭９の長さが不足する場合におけるコンクリート製基礎杭８の製造方法を図３（ａ）の１ｍ不足の場合を例に詳細に説明する。
コンクリート製基礎杭８を地中に打ち込む場合、殆どの施工法でその鉛直度を２００分の１以内の傾斜角度に納めることが要求されている。
従来、既製のコンクリート製杭同士を立てた状態で溶接して接続する必要が生じた場合、下部杭（杭を立てた状態で最下部に当たる杭）には長さ４ｍ以上のものが使われていたので、トランシットや水準器等の計測器機を用いてその鉛直度を計測し鉛直に保つことができたが、杭が短い場合、特に長さ１ｍの杭では杭を立てた状態での計測器機を用いて鉛直度を計測するには短すぎ、計測精度が低くなってしまい、また、杭自体の重量も軽いため接続作業中に動きやすく鉛直な状態を保持することが困難であった。
また、既製コンクリート杭９と本発明の長さ調整用単位杭１０は、杭を立てた状態で鉛直方向の杭体側面と水平方向の端板との直角度が３００分の１以内の精度となるように構成されているので、接続する杭同士の端板を密着させた状態では最大１５０分の１の傾斜が生じてしまう。
【００１３】
上記の不都合を解消するため、本発明においては、既製コンクリート杭９と本発明の長さ調整用単位杭１０を次の工程によって接続する。
杭同士を接続する前に、図４に示すように接続する既製コンクリート杭９と１ｍの長さ調整用単位杭１０ａの端板２４、２４’の直角度を直角定規２３と隙間ゲージ等を用いて計測しておく。同図は長さ調整用単位杭１０を表している。
このように、事前に接続する杭同士の端板の直角度を計測しておくことで、端板を当接させた時の両端板間の隙間ｂ（図５参照）の状態が分かるので、後に該隙間ｂを前記胴体部固定バンドのボルト穴内に挿入されたボルトとナットとで調整することで、杭同士を鉛直に接続するのに役立つ。
先ず事前に確認した支持層の深さに基づいて製造した既製コンクリート杭９に接続するために選択した長さ調整用単位杭１０ａの上部に胴体部保持バンド１４を装着する。なお、予め長さ調整用単位杭１０ａの上部に胴体部保持バンド１４を装着しておいても良い。この場合は、前記の工程において、長さ調整用単位杭１０ａの上部に長胴体部保持バンド１４を装着する工程が省略できる。
次に、地面に鉛直性を保って立設したコンクリート製基礎杭を挿入・支持する所定長さのケーシング管１９内に、高さ調整用管２１ａを挿入する。
続いて、前記胴体部保持バンド１４を装着した長さ調整用単位杭１０ａを、ケーシング管１９内の高さ調整用管２１ａの上部に当接するまで挿入し、水準器等の計測機器を用いて鉛直度を計測しつつ、前記ケーシング管１９の上部に設けられた鉛直性調整ボルト２０で必要な鉛直度が得られるよう調整して保持する。
その後、下部に長さ調整用単位杭１０ａに接続するための胴体部保持バンド１４’を装着した既製コンクリート杭９を起重機等の重機を用いて吊り上げて、前記ケーシング管１９によって鉛直に保持された長さ調整用単位杭１０ａの上部に移動して端板同士２４、２４’を当接し、それぞれの胴体部保持バンド１４に設けられた複数のボルト挿入部１５に、ボルト１７を差し込み、当接した端板間の隙間を調整しながら前記ボルト１７に装着したナット１８を締め付け、事前に確認した支持層の深さに基づいて製造した既製コンクリート杭９と長さ調整用単位杭１０ａとを鉛直に接続・連結し実際に使用するコンクリート製基礎杭を作成する。
このように、接続する杭同士の端板２４，２４’の直角度を事前に計測しておき、端板２４，２４’を当接させた時の隙間を二つの胴体部保持バンドを連結するボルト１７とナット１８とで調整することで、杭同士を容易に鉛直に連結することができる。
また、長さ調整用単位杭挿入ケーシング管１９を用いて杭同士を縦方向で連結しているのでコンクリート杭を横方向で連結する場所が無い場合にも連結することができる。
【００１４】
図６は長さ調整用単位杭１０と既製コンクリート杭を支持部材２５の上に水平に設置して接続する場合を表す図である。
【００１５】
次に、前記第１工程で、スパイラルスクリュウ２を使用してコンクリート製基礎杭８よりも大径の縦孔４を地盤１の支持層５まで掘削したところ、発現した支持層５がボーリングによって確認された支持層５より浅い位置であったり、掘削できない硬い支持層であったりした場合には、事前に確認した深さに基づいて製造した既製コンクリート杭９が長すぎて使用できないので、別に用意した予備の既製コンクリート杭９の下部に長さ調整用単位杭１０を選択して接続し発現した支持層５に適応して固定できるコンクリート製基礎杭８を施工現場において、次の工程にしたがって作成する。
なお、事前の既製コンクリート杭９、長さ調整用単位杭１０の端板直角度の計測や端板と直角定規２３との隙間の測定に関しては、前記長いコンクリート製基礎杭を製造する場合と同じであるので説明を省略する。
先ず事前に準備したコンクリート製基礎杭が長すぎて使用できない場合、事前に適宜用意した４ｍ〜１５ｍの既製コンクリート杭を選択し、選択した既製コンクリート杭９と選択した長さ調整用単位杭１０を組み合わせて、対象となる支持層５の深さに適合した長さのコンクリート製基礎杭８を作成する。
例えば、ボーリング調査の結果を受けて製造したコンクリート製基礎杭が１４ｍであったが、実際の支持層５に固定する最適な長さのコンクリート製基礎杭が１２ｍであった時、仮に事前に１０ｍの既製コンクリート杭が施工現場に予備資材として準備されていれば、該１０ｍの既製コンクリート杭と２ｍの長さ調整用単位杭１０ｂを接続したり、前記１０ｍの既製コンクリート杭と１ｍの長さ調整用単位杭１０ａを２本接続したりすることで対応できる。
【００１６】
図７は、本発明の実施例における長さ調整用単位杭１０を用いて作成したコンクリート製基礎杭８を、支持層５が事前調査による支持層５より深い場合に使用した例を表す断面図である。
同図において、（ｂ）が前記第１工程で掘削した支持層の深さが事前に確認した深さより深い場所で発現された場合で、事前に確認した深さに基づいて製造した既製コンクリート杭９の下部に長さ調整用単位杭１０を接続して作成したコンクリート製基礎杭８を使用している。
図８は、現場において掘削した実際の支持層５が、事前のボーリング調査により確認した支持層より浅い場合に、本発明の実施例における長さ調整用単位杭１０を用いて製造したコンクリート製基礎杭を使用した例を表す断面図である。
同図において、（ｂ）が前記第１工程で掘削した支持層の深さが事前に確認した深さより浅い場合で、事前に確認した深さより短い既製コンクリート杭９の下部に長さ調整用単位杭１０を接続して作成したコンクリート製基礎杭８を使用している。
【００１７】
本実施例においては、コンクリート製基礎杭８及び長さ調整用単位杭１０をストレート型コンクリート杭として説明したが、これに限定されるものでなく、図９に示すような節付きコンクリート杭にあっても本発明のコンクリート製コンクリート製基礎杭の施工方法は適用できる。
また、第１工程の縦孔の掘削をスパイラルスクリュウによって行うとしているが、これに限定されるものではなく、撹拌装置を用いて地盤を掘削撹拌する工法を用いてもよい。
【符号の説明】
【００１８】
１：地盤
２：アースオーガ（図示せず）のスパイラルスクリュウ
３：スパイラルスクリュウの先端に取り付けるオーガヘッド
４：縦孔
５：支持層
６：根固め液
７：周辺固定液
８：コンクリート製基礎杭
９：既製コンクリート杭
１０：長さ調整用単位杭
１０ａ：１ｍの長さ調整用単位杭
１０ｂ：２ｍの長さ調整用単位杭
１０ｃ：３．５ｍの長さ調整用単位杭
１４、１４’：胴体部保持バンド
１５：ボルト挿入部
１７：ボルト
１８：ナット
１９：ケーシング管
２０：鉛直性調整ボルト
２１：高さ調整管
２１ａ：長さ２．５ｍの高さ調整用管
２１ｂ：長さ１．５ｍの高さ調整用管
２３：直角定規
２４：既製コンクリート杭の端板
２４’： 長さ調整用単位杭の端板
２５：支持部材
ａ１：既製コンクリート杭端板と直角定規との隙間
ａ２：長さ調整用単位杭の端板と直角定規との隙間
ｂ：両杭を当接した際に生じる最大形状の隙間
【図１】
0005985672.tif 000002
【図２】
0005985672.tif 000003
【図３】
0005985672.tif 000004
【図４】
0005985672.tif 000005
【図５】
0005985672.tif 000006
【図６】
0005985672.tif 000007
【図７】
0005985672.tif 000008
【図８】
0005985672.tif 000009
【図９】
0005985672.tif 000010